(57)【特許請求の範囲】
【請求項１】
加水発熱物質を収容した自己発熱容器と、所定量の水を収容した水収納容器と、前記自己発熱容器および前記水収納容器を収納可能であって、
前記水収納容器に孔を穿設する穿設手段を内部に設けた上部開放型容器とを備えた加水発熱型の容器において、
前記穿設手段が、前記上部開放型容器内に突設された刃部と、前記刃部によって前記水収納容器に穿設されて貫通するように形成される孔を拡大するように前記上部開放型容器内かつ前記刃部近傍に突設された孔拡大突部とを有し、そして
前記刃部が、一部分を切り欠いた環状の横断面を有し、当該刃部の内側に前記孔拡大突部が位置する
ことを特徴とする加水発熱型の容器。
【請求項２】
前記穿設手段が、使用時に外力を与えることで前記水収納容器が前記刃部に接触するように前記水収納容器を弾性的に支持する弾性支持部を更に有する
ことを特徴とする請求項１記載の加水発熱型の容器。
【請求項３】
未使用時に、前記穿設手段が前記水収納容器に前記孔を穿設することを防止する安全手段を更に有する
ことを特徴とする請求項１又は２に記載の加水発熱型の容器。
【請求項４】
加水発熱物質を収容した自己発熱容器と、所定量の水を収容した水収納容器と、前記自己発熱容器および前記水収納容器を収納可能であって、
前記水収納容器に孔を穿設する穿設手段を内部に設けた上部開放型容器とを備えた加水発熱型の容器において、
未使用時に、前記穿設手段が前記水収納容器に前記孔を穿設することを防止する安全手段を更に有し、
前記穿設手段が、前記上部開放型容器内に突設された刃部と、前記刃部によって前記水収納容器に穿設されて貫通するように形成される孔を拡大するように前記上部開放型容器内かつ前記刃部近傍に突設された孔拡大突部と、使用時に外力を与えることで前記水収納容器が前記刃部に接触するように前記水収納容器を弾性的に支持する弾性支持部とを有し、そして
前記刃部が、一部分を切り欠いた環状の横断面を有し、当該刃部の内側に前記孔拡大突部が位置する
ことを特徴とする加水発熱型の容器。
【発明の詳細な説明】
【０００１】
【発明の属する技術分野】
本発明は、加水発熱物質を収容した自己発熱容器と、所定量の水を収容した水収納容器とを備えた加水発熱型の容器に関する。
【０００２】
【従来の技術】
従来、加水発熱型の容器として、加水発熱物質を収容した自己発熱容器を上部開放型容器内に収納したものが知られている。上部開放型容器の上面には、上蓋が脱着可能に設けられる。上蓋の略中央には開口部が設けられ、その開口部は、上蓋と上部開放型容器との間に挟持された紙蓋によって塞がれる。
【０００３】
このような加水発熱型の容器においては、使用に際して、最初に上蓋および紙蓋を上部開放型容器から取り外し、次に上部開放型容器内に外部から所定量の水を流入させる。その後、上蓋を再び上部開放型容器に取り付ける。これにより、自己発熱容器内の加水発熱物質が水と反応し、薬効成分等を上蓋の開口部を介して上部開放型容器の外部に放出する。
【０００４】
【発明が解決しようとする課題】
上述した従来の加水発熱型の容器においては、外部から水を供給する際に、水を入れ過ぎてしまう場合があった。水を入れ過ぎてしまうと、薬効成分等が十分に蒸散しない等の問題が生じる。そこで、所定量の水を計量してその水を加水発熱型の容器に供給する必要があったが、このような作業は煩雑であった。
そこで、所定量の水を収容した水収納容器を、上部開放型容器内に備えた加水発熱型の容器が使用されている。しかし、このタイプの加水発熱型の容器においては、水収納容器を上部開放型容器から取り出すとともに、水収納容器を開封して水収納容器内の水を上部開放型容器に流入させる作業がやはり煩雑であった。
【０００５】
本発明は、上記課題にかんがみてなされたものであって、使用に際して、水の入れ過ぎ等を確実に防止することができ、かつ使い勝手が良好な加水発熱型の容器を提供することを目的としている。
【０００６】
【課題を解決するための手段】
本発明の加水発熱型の容器は、加水発熱物質を収容した自己発熱容器と、所定量の水を収容した水収納容器と、前記自己発熱容器および前記水収納容器を収納可能であって、前記水収納容器に孔を穿設する穿設手段を内部に設けた上部開放型容器とを備えた加水発熱型の容器において、前記穿設手段が、前記上部開放型容器内に突設された刃部と、前記刃部によって前記水収納容器に穿設されて貫通するように形成された孔を拡大するように前記上部開放型容器内かつ前記刃部近傍に突設された孔拡大突部とを有し、そして前記刃部が、一部分を切り欠いた環状の横断面を有し、当該刃部の内側に前記孔拡大突部が位置することを特徴としている。
【０００７】
ここで、水収納容器としては、例えば開口をフィルム等で塞いだボトルや、防水性の材質からなるパック等を採用することができる。また、刃部としては、例えば上部開放型容器内に一体成形されたものを使用できるが、金属、木、樹脂製のもの等を後付けしてもよい。刃部および穴拡大突部（孔拡大突部）は上部開放型容器の底面に突設してもよく、上部開放型容器の側壁面に突設してもよい。そして、刃部および穴拡大突部の形態は、水収納容器に穴を穿設するとともに、その穴（孔）を拡大して水収納容器内の水をスムーズに流出させることができるものであれば、とくに限定しない。
【０００８】
このように構成された加水発熱型の容器においては、上部開放型容器内に刃部と穴拡大突部とが突設されているので、例えば水収納容器を刃部および穴拡大突部に向けて押圧することで、刃部によって水収納容器に穴が穿設されるとともに、穴拡大突部によってその穴が拡大される。従って、水収納容器内の水がスムーズに流出し、所定量の水が上部開放型容器内に速やかに供給される。
【０００９】
また、本発明の加水発熱型の容器においては、前記刃部が、一部分を切り欠いた環状の横断面を有し、当該刃部の内側に前記穴拡大突部が位置していれば、例えば水収納容器を刃部および穴拡大突部に向けて押圧する又は回動するなど、水収納容器に外力を与えることで、先ず、水収納容器に刃部の横断面と同じ形状の切り込みが形成される。次に、穴拡大突部によって前記切り込みの内側部分が水収納容器内部に押しこまれる。従って、水収納容器に、刃部の横断面の外周に略等しい周縁部を有する穴を、低押圧力で容易に穿設することができる。また、水収納容器内の水が刃部の切り欠いた部分を通って、速やかに上部開放型容器内に供給される。
【００１０】
また、本発明の加水発熱型の容器は、加水発熱物質を収容した自己発熱容器と、所定量の水を収容した水収納容器と、前記自己発熱容器および前記水収納容器を収納可能であって、前記水収納容器に穴を穿設する穿設手段を内部に設けた上部開放型容器とを備えた加水発熱型の容器において、前記穿設手段が、前記上部開放型容器内に突設された刃部と、使用時に外力を与えることで前記水収納容器が前記刃部に接触するように前記水収納容器を弾性的に支持する弾性支持部とからなることを特徴としている。
【００１１】
ここで、弾性支持部としては、樹脂、金属、ゴム等の薄肉片を折り曲げたり、コイル状のバネ、スポンジ、ゴム等を加工したりして、水収納容器を支持可能な形状に形成したものや、上部開放型容器内に張設したネット等を採用できる。
【００１２】
このように構成された加水発熱型の容器においては、上部開放型容器内に、刃部が突設されるとともに、水収納容器が、使用時に外力を与えられることで刃部に接触するように、弾性支持部によって弾性的に支持されているので、例えば水収納容器を刃部に向けて押圧することで、先ず、刃部によって水収納容器に穴が穿設される。このとき弾性支持部は変形する。次に、押圧することを止めて水収納容器を解放すると、変形した弾性支持部の復帰動作によって、水収納容器は刃部に接触しない位置に押し戻される。従って、刃部が突設された上部開放型容器の底面または側壁面と水収納容器とが密接して穴から水がスムーズに流出しないことや、穴が刃部によって塞がれて水がスムーズに流出しないこと等が防止される。
【００１３】
また、本発明の加水発熱型の容器は、加水発熱物質を収容した自己発熱容器と、所定量の水を収容した水収納容器と、前記自己発熱容器および前記水収納容器を収納可能であって、前記水収納容器に穴を穿設する穿設手段を内部に設けた上部開放型容器とを備えた加水発熱型の容器において、未使用時に、前記穿設手段が前記水収納容器に穴を穿設することを防止する安全手段を備えたことを特徴としている。
【００１４】
ここで、安全手段としては、例えば水収納容器と穿設手段の間に設けられるストッパや、水収納容器と上部開放型容器との双方に設けられるガイドなどを採用することができるが、特にその形態を限定しない。
このように構成された加水発熱型の容器においては、使用者が操作を誤って、水収納容器から不意に水を流出させてしまうことはない。
【００１５】
加水発熱物質としては、酸化カルシウム、塩化マグネシウム、塩化アルミニウム、塩化カルシウム、酸化鉄等、水を添加するのみで発熱する物品を例示できる。鉄と硫化カリウム、硫化鉄、金属塩化物、硫酸鉄等の少なくとも１種との混合物を水及び酸素と接触させる方式、鉄よりイオン化傾向大なる金属と鉄よりイオン化傾向小なる金属のハロゲン化物との混合物を水と接触させる方式、金属と重硫酸塩との混合物を水と接触させる方式、アルミニウムとアルカリ金属硝酸塩との混合物に水を加える方式等を例示できる。
【００１６】
【発明の実施の形態】
以下、本発明の実施の形態を図１ないし図８に基づいて詳しく説明する。図１に、第１実施形態である加水発熱型の容器１を示す。同図において、上部開放型容器２に、加水発熱物質を収容した自己発熱容器３と、所定量の水を収容して開口をフィルム１０で塞いだ水収納容器４とが収納されている。上部開放型容器２は、防水性を有するポリエチレン又はポリプロピレン等から形成されている。上部開放型容器２の上面開口は、剥離可能な容器用シール７によって塞がれ、更に、紙蓋８およびキャップ９によって被覆される。そして、上部開放型容器２内の底面には、刃部５および穴拡大突部（孔拡大突部）６が立設されている。
【００１７】
図２に、刃部５および穴拡大突部６を示す。図２(A)は平面図、図２(B)は斜視図である。刃部５は略円弧状の横断面を有し、切欠部５ａを備えている。そして、刃部５より高さが低い穴拡大突部６が、刃部５の内側に設けられている。
【００１８】
以下、本実施形態の作用を説明する。
図１における加水発熱型の容器１の使用に際して、最初に、キャップ９及び紙蓋８を上部開放型容器２から取り外し、上部開放型容器２の上面を塞ぐ容器用シール７を剥離させる。次に、上部開放型容器２内の水収納容器４を、図中下方に向かって押圧する。このときの、水収納容器４および刃部５を、図２(B)に示したＣ−Ｃ線で切断した断面図を図３に示す。
【００１９】
図３に示すように、先ず、水収納容器４の開口を塞ぐフィルム１０が刃部５に当接し、フィルム１０に、刃部５の横断面と同じ形状である略円弧状の切り込みが形成される。このとき、水収納容器４から水が流出し始めるが、フィルム１０に形成された切り込みは刃部５によって塞がれているため、流出量は少ない。そして、更に水収納容器４を図中矢印の方向に押圧する。
【００２０】
すると、図４に示すように、穴拡大突部６が、刃部５によってフィルム１０に形成された略円弧状の切り込みの内側部分を水収納容器４の内部に押し込む。この時点で、図中矢印で示すように、水収納容器４から水が流出し、水は、とくに図２に示した刃部の切欠部５ａを通って、図１に示した上部開放型容器２内に流入する。
【００２１】
以上のような加水発熱型の容器１によれば、上部開放型容器２内の底面に、略円弧状の横断面を有する刃部５が立設されるとともに、刃部５の内側に穴拡大突部６が設けられているので、上部開放型容器２内に収納されている水収納容器４を下方に押圧することによって、容易に水収納容器４に穴（孔）を穿設することができ、水収納容器４内の所定量の水を上部開放型容器２内に流入させることができる。従って、一つの動作で、上部開放型容器２内への水の供給を行うことができるので、使い勝手が良い。
【００２２】
また、刃部５が切欠部５ａを備えているので、水収納容器４内の水は、切欠部５ａを通って速やかに上部開放型容器２内に流入する。また、刃部５の高さが穴拡大突部６より高く設定されているので、水収納容器４のフィルム１０に確実に切り込みを入れることができる。そして、フィルム１０に形成された略円弧状の切り込みの内側部分を、穴拡大突部６によって水収納容器４の内部に押し込むので、低押圧力で比較的大きな開口を水収納容器４に設けることができる。従って操作性が良く、誰でも容易にこの加水発熱型の容器を使用できる。
【００２３】
次に図５に、本発明の第２実施形態である加水発熱型の容器２１の概略平面図を示す。同図に示すように、上部開放型容器２２内に、加水発熱物質を収容した自己発熱容器２３が収納されているとともに、刃部２５および弾性支持部２６が設けられている。同図に、後述する水収納容器は示されていない。
【００２４】
図６は、刃部２５および弾性支持部２６を示す斜視図である。本実施形態における刃部２５は、一対の円弧状の刃からなり、２箇所の切欠部２５ａを有している。そして、弾性支持部２６は、前述したような薄肉片を折り曲げて形成されている。弾性支持部２６は、刃部２５が貫通可能な開口２７ａを有する支持部本体２７と、一対の脚部２９とを備えている。そして、支持部本体２７と脚部２９は、屈曲可能なヒンジ部２８によって連結されている。
【００２５】
また、図６上方に示すように、水収納容器２４の開口はフィルム３０によって塞がれ、更にフィルム３０上に、安全手段としてリング状の安全部材３１が装着される。安全部材３１は安全バー３２を備え、その安全バー３２によって、安全部材３１内に、一対の刃の夫々が貫通可能な開口３１ａが形成される。
【００２６】
以下、本実施形態の作用を説明する。
図６に示すように、最初、水収納容器２４は、安全部材３１の安全バー３２が刃部２５の上方に位置するような状態で、弾性支持部２６上に設置されている。このときの刃部２５と安全部材３１の位置関係を図７(A)に示す。そこで使用に際しては、図６における安全部材３１の安全バー３２が、刃部の切欠部２５ａの上方に位置するようになるまで、水収納容器２４を回転する。
水収納容器２４を回転したときの安全部材３１の様子を図７(B)に示す。また、図６においては想像線で示した。しかし、この時点においては、刃部２５と水収納容器２４のフィルム３０は非接触である。
【００２７】
次に、図６に示される水収納容器２４を下方に押圧する。すると、水収納容器２４を支持していた弾性支持部２６のヒンジ部２８が屈曲して、刃部２５が、支持本体２７の開口２７ａを貫通するとともに、安全部材３１の開口３１ａを貫通する。そして、刃部２５は、水収納容器２４の開口を塞いでいたフィルム３０に穴を穿設する。このとき、水収納容器２４から水が流出し始めるが、穿設された穴は刃部２５によって塞がれているため、流出量は少ない。とくに、支持部本体２７の下面が、刃部２５が立設されている面に接触するまで水収納容器２４を押圧した場合、水はほとんど流出しない。
【００２８】
そして、水収納容器２４の押圧を止めて水収納容器２４を解放すると、屈曲していたヒンジ部２８が元の形状に戻り、刃部２５とフィルム３０は再び非接触となる。この時点で、刃部によってフィルム３０に穿設された穴から水が流出し、図５に示した上部開放型容器２２内に水が供給される。
【００２９】
以上のような加水発熱型の容器２１によれば、上部開放型容器２２内の底面に刃部２５が立設されるとともに、水収納容器２４を弾性的に支持する弾性支持部が設けられている。従って、水収納容器２４を下方に押圧することで、刃部２５によって水収納容器２４の開口を塞ぐフィルム３０に容易に穴を穿設できる。そして、水収納容器２４の押圧を止めて水収納容器を解放することで、弾性支持部２６の作用により刃部２５からフィルム３０を引き放すことができるので、フィルム３０に穿設された穴から水収納容器２４内の水をスムーズに流出させることができる。
【００３０】
また、弾性支持部２６を設けたことによって、刃部が突設された上部開放型容器２２内の面と水収納容器２４とが密接して、穿設された穴から水がスムーズに流出しないことや、穴が刃部２５によって塞がれて水がスムーズに流出しないこと等が防止される。従って、不良動作を起こす心配がない。
【００３１】
そして、水収納容器の開口を塞ぐフィルム３０と刃部２５との間に、安全部材３１を設けてあるので、使用者が操作を誤って水収納容器２４を押圧しても、不意に水が流出する心配がない。
【００３２】
次に、図８に、本発明の第３実施形態の加水発熱型の容器における、水収納容器と穿設手段と安全手段を示す。本実施形態は、図１に示したような上部開放型容器２の中に、図８に示す穿設手段としての刃部４５と、安全手段としての螺着支持部４６とを設けたものである。螺着支持部４６の内周面には螺子溝４６ａが設けられている。そして、開口をフィルム５０で塞がれた水収納容器４４の外周面には、螺子山４４ａが設けられており、螺着支持部４６に螺着可能となっている。なお、本実施形態における安全手段である螺着支持部４６、および後述する変更例における安全手段には、特に図示しないが、水収納容器から流出した水を上部開放型容器内にスムーズに流入させるための開口を側壁などに有している。
【００３３】
本実施形態においては、未使用時に、水収納容器４４の先端側（図８下側）の螺子山４４ａが、螺着支持部４６の上端側の螺子溝４６ａに螺合するが、このときは水収納容器のフィルム５０と刃部４５とは接触しない。そして、使用時に、水収納容器４４を時計方向に回転させることで、水収納容器４４を螺着支持部４６内に螺入せしめ、水収納容器のフィルム５０を刃部４５によって破くことができ、水収納容器４４内の水を流出させることができる。
【００３４】
本実施形態によれば、水収納容器４４を回転しない限り、水収納容器のフィルム５０と刃部４５とが接触することがないので、使用者が操作を誤って水収納容器４４から不意に水を流出させてしまう心配はない。また、容器の運搬時の振動や、落下による衝撃などが加わっても、水収納容器が位置ズレを起こすことはない。
【００３５】
次に、図９に、上記第３実施形態の要部の変更例を示す。この変更例は、安全手段として、水収納容器６４の外径よりやや大きな直径の開口６６ａを上面６６ｂに有し、水収納容器６４を圧入可能な、圧入支持部６６を備えたものである。圧入支持部６６の内部には刃部６５が設けてある。そして、圧入支持部６６上面６６ｂには、位置規制壁６６ｃが設けられている。
【００３６】
水収納容器６４の開口は、図示しないフィルムによって塞がれている。そして、水収納容器６４の開口側の端部には、屈曲性を有するプラスチックシート７０が嵌着されている。プラスチックシート７０は、ポリプロピレンやポリエチレン等の材質からなる。そしてプラスチックシート７０を嵌着した水収納容器６４は、位置規制壁６６ｂの作用により、圧入支持部の上面６６ｂの正しい位置に載置される。
【００３７】
本変更例によれば、使用時に、水収納容器６４を下方に押圧することで、屈曲性を有するプラスチックシート７０の圧入支持部上面６６ｂに当接していた部分（例えば矩形の角部）が、押圧方向とは逆方向に折り曲げられ、水収納容器６４が圧入支持部６６内に圧入される。そして、刃部６５によって図示しないフィルムに穴が穿設されて、水収納容器６４内の水が流出する。
圧入支持部６６は、図示したような箱型の形状に限定されるものではなく、例えば４本の支柱などから構成してもよい。
【００３８】
次に、図１０に、上記第３実施形態の別の変更例を示す。この変更例は、安全手段として、水収納容器８４の開口部の外径よりやや大きな内径を有し、水収納容器８４を部分的に固着して支持可能な仮固着支持部８６を備えたものである。固着支持部８６の内部には刃部８５が設けてある。
【００３９】
本変更例は、仮固着支持部８６の上端側内周面における４点８６ａ〜８６ｄに、水収納容器８４の先端側外周面における４点８４ａ〜８４ｄを、樹脂の溶着などにより分離可能に保持させるものである。ここで、溶着部分は４点に限定されるものではない。また、仮固着支持部８６に水収納容器８４を保持させる方法は、樹脂の溶着による方法に限定しない。
【００４０】
本変更例によれば、使用時に、水収納容器８４を下方に押圧することで、仮固着支持部８６から水収納容器８４が分離される。そして、刃部８５により水収納容器の開口を塞ぐフィルム９０に穴が穿設されて、水収納容器８４内の水が流出する。
【００４１】
【発明の効果】
以上説明したように、本発明の加水発熱型の容器は、上部解放型容器内に、刃部と、その刃部によって水収納容器に穿設される穴を拡大する穴拡大突部とからなる穿設手段を設けてあるので、水収納容器に穴を容易に穿設でき、かつ、水収納容器内の水をスムーズに上部開放型容器内に供給することができる。従って、一つの動作で、上部開放型容器内への水の供給を行うことができるので、使い勝手が良い。
【００４２】
また、本発明の加水発熱型の容器においては、刃部が一部分を切り欠いた環状の横断面を有し、その刃部の内側に穴拡大突部が位置していれば、水収納容器に、刃部の横断面の外周に略等しい周縁部を有する穴を、低押圧力で容易に穿設することができるとともに、水収納容器内の水をスムーズに上部開放型容器内に供給することができる。従って操作性が良く、誰でも容易に使用できる。
【００４３】
更に、本発明の加水発熱型の容器は、上部解放型容器内に、刃部と、水収納容器を弾性的に支持する弾性支持部とからなる穿設手段を設けてあるので、刃部が突設された上部開放型容器内の面と水収納容器とが密接して穴から水がスムーズに流出しないことや、穴が刃部によって塞がれて水がスムーズに流出しないこと等が防止される。従って、不良動作を起こす心配がなく、信頼性が高い。
【００４４】
そして、本発明の加水発熱型の容器は、未使用時において、穿設手段が水収納容器に穴を穿設することを防止する安全手段を備えているので、使用者が操作を誤って、水収納容器から不意に水を流出させる心配がなく、良好な安全性を得ることができる
【図面の簡単な説明】
【図１】本発明の第１実施形態を示す概略側面図である。
【図２】図１の穿設手段を示す平面図および斜視図である。
【図３】図１の穿設手段の作用を表わす概略断面図である。
【図４】図１の穿設手段の作用を表わす概略断面図である。
【図５】本発明の第２実施形態を示す概略平面図である。
【図６】図５の穿設手段を示す斜視図である。
【図７】図６の穿設手段および安全部材の作用を示す概略平面図である。
【図８】本発明の第３実施形態の要部を示す概略斜視図である。
【図９】本発明の第３実施形態の変更例を示す斜視図である。
【図１０】本発明の第３実施形態の変更例を示す斜視図である。
【符号の説明】
１、２１  加水発熱型の容器
２、２２  上部開放型容器
３、２３  自己発熱容器
４、２４、４４  水収納容器
５、２５、４５  刃部
６  穴拡大突部
１０、３０  フィルム
２６  弾性支持部
２８  ヒンジ部
３１  安全部材（安全手段）
３２  安全バー
４６  螺着支持部（安全手段）
【図１】
0004118378.tif 000002
【図２】
0004118378.tif 000003
【図３】
0004118378.tif 000004
【図４】
0004118378.tif 000005
【図５】
0004118378.tif 000006
【図６】
0004118378.tif 000007
【図７】
0004118378.tif 000008
【図８】
0004118378.tif 000009
【図９】
0004118378.tif 000010
【図１０】
0004118378.tif 000011